(57)【特許請求の範囲】
【請求項１】
ボックスベースとボックスカバーとを有する遊技機用基板ボックス内に回路基板を被包して封印するための遊技機用基板ボックス封印ユニットを備えた遊技機において、
遊技機用基板ボックス封印ユニットは、前記ボックスベースの側面部に配設される第１封印部材と、前記ボックスカバーの側面部に配設される第２封印部材と、前記第１封印部材および第２封印部材を連結する連結保持部材とを備え、その連結保持部材により、前記第１封印部材および第２封印部材を連結し前記遊技機用基板ボックスを封印するものであって、
前記第１封印部材及び前記第２封印部材を間に置いて前記ボックスベースの側面部及び前記ボックスカバーの側面部と相対向して配設される板状の前面被覆部と、
前記第１封印部材及び前記第２封印部材のうち前記連結保持部材を挿入するための開口部が設けられた側とは反対側にあたる底面側に相対向して配設されるとともに、前記前面被覆部に連接形成された板状の底面被覆部と、
前記前面被覆部及び前記底面被覆部にそれぞれ連接形成されるとともに、前記第１封印部材及び前記第２封印部材を間に置いて相対向する一対の板状の側面被覆部とからなる被覆部材を備え、
前記各被覆部の内部に気泡空間を形成したことを特徴とする遊技機。
【発明の詳細な説明】
【０００１】
【発明の属する技術分野】
本発明は、制御回路基板を収納する遊技機用基板ボックスを備えた遊技機に関するものである。
【０００２】
【従来の技術】
近年、パチンコ機およびスロットマシーン等の遊技機の制御はＩＣ，ＬＳＩ等の多数の電子部品を配設したロジック制御回路基板またはマイクロコンピュータを有する制御回路基板等により行われている。これらの制御回路基板は、例えばパチンコ機では遊技盤の背面に配設される入賞球集合カバーまたは機構板に取り付けられる遊技機用基板ボックス内に収納されている。この遊技機用基板ボックスは制御回路基板を被包して収納するためのボックスベースとボックスカバーとを備えている。
【０００３】
ところで、かかる遊技用基板ボックス内に収納された制御回路基板から遊技内容に関する制御情報が記憶されたＲＯＭを取り外し交換して、遊技機の遊技内容を変更する不正行為が近年問題になっている。このような不正行為の防止対策として、遊技機用基板ボックス内からＲＯＭを取り外すことができないように遊技機用基板ボックスのボックスベースとボックスカバーとを封印ねじ等の特殊ねじを用いて接合し、遊技機用基板ボックスを封印する方法が用いられている。
【０００４】
例えば、この封印ねじは、スクリュードライバ等のねじ回し工具が締め付け方向（ねじ込み方向）にのみ係合される十字溝をねじ頭部に形成したものであり、ねじを緩める方向にねじ回し工具を回転させると、ねじ回し工具が空回りすることにより外すことができない特殊ねじである。よって、この封印ねじを用いて遊技機用基板ボックスのボックスベースおよびボックスカバーを接合した場合、遊技機用基板ボックスを容易に開封することができないので、遊技機用基板ボックス内の制御回路基板から遊技内容に関する制御情報の記憶されたＲＯＭを取り外して交換するという不正行為が防止される。
【０００５】
【発明が解決しようとする課題】
しかしながら、かかる封印ねじは、そのねじ頭部に形成された十字溝にスクリュードライバ等のねじ回し工具を強く押しつけて、当該封印ねじの緩み方向（反ねじ込み方向）に回転させることにより、取り外すことが可能な場合がある。また、かかる封印ねじをねじ込み方向に強くねじ込むと、遊技機用基板ボックスに穿設されたねじ穴のねじ山が破壊され、封印ねじが取り外し可能となる。よって、上記封印ねじを用いた方式では、遊技機用基板ボックス内に制御回路基板を確実に封印することができないという問題点があった。このため、遊技機用基板ボックス内に収納された制御回路基板からＲＯＭを取り外して交換し遊技内容を変更する不正行為を防止することができないという問題点があった。
【０００６】
これに対して、返しの付いたピンを挿入するかしめ方式もあるが、この場合、前記かしめ部分の側面又は底面に孔を開け、ピンの返し部分を押さえながらピンを不正に抜き取ることが可能となる。このように孔を開ければ、痕跡は残るものの、孔が開けられた部分が側面又は底面であることから、注意して確認しなければ発見されない可能性がある。よって、上記かしめ方式では、かかる不正行為を早期に発見することができないという問題点があった。
【０００７】
本発明は上述した問題点を解決するためになされたものであり、遊技機用基板ボックスを確実に封印して遊技内容を変更する不正行為を極力防止し、万一、かかる不正行為が行われた場合であっても、その不正行為を早期に発見することができる封印部材及びそれを被覆する被覆部材を備えた遊技機を提供することを目的としている。
【０００８】
【課題を解決するための手段】
上記の目的を達成するために有効な手段を以下に示す。なお、必要に応じてその作用等についても説明する。
【０００９】
本発明に係る遊技機は、
ボックスベースとボックスカバーとを有する遊技機用基板ボックス内に回路基板を被包して封印するための遊技機用基板ボックス封印ユニットを備えた遊技機において、
遊技機用基板ボックス封印ユニットは、前記ボックスベースの側面部に配設される第１封印部材と、前記ボックスカバーの側面部に配設される第２封印部材と、前記第１封印部材および第２封印部材を連結する連結保持部材とを備え、その連結保持部材により、前記第１封印部材および第２封印部材を連結し前記遊技機用基板ボックスを封印するものであって、
前記第１封印部材及び前記第２封印部材を間に置いて前記ボックスベースの側面部及び前記ボックスカバーの側面部と相対向して配設される板状の前面被覆部と、
前記第１封印部材及び前記第２封印部材のうち前記連結保持部材を挿入するための開口部が設けられた側とは反対側にあたる底面側に相対向して配設されるとともに、前記前面被覆部に連接形成された板状の底面被覆部と、
前記前面被覆部及び前記底面被覆部にそれぞれ連接形成されるとともに、前記第１封印部材及び前記第２封印部材を間に置いて相対向する一対の板状の側面被覆部とからなる被覆部材を備え、
前記各被覆部の内部に気泡空間を形成したことをその要旨としている。
【００１０】
【発明の実施の形態】
手段１．回路基板を被包するための基板被包部材と前記基板被包部材を封印するための封印部材とを備えた遊技機において、前記封印部材の少なくとも一部を被覆する被覆部材を備えたことを特徴とする遊技機。
【００１１】
上記手段１によれば、回路基板は基板被包部材により被包され、封印部材により封印される。また、遊技機には封印部材の少なくとも一部を被覆する被覆部材が設けられており、少なくとも被覆部材で被覆された部分は、直接触れることが困難となっている。このため、被覆された部分を介して封印部材に何らかの細工をしたりすることは容易にできなくなる。その結果、基板被包部材に被包された制御回路基板からＲＯＭ、ＣＰＵ等を取り外して交換し遊技内容を変更する等の不正行為を防止することができる。
【００１２】
手段２．手段１において、前記基板被包部材は、第１被包部材と第２被包部材から構成され、各被包部材を連結することにより前記回路基板を被包可能とすることを特徴とする遊技機。
【００１３】
上記手段２によれば、各基板被包部材を連結するだけで、回路基板を基板被包部材に被包できる。このため、被包作業効率の向上を図ることができる。
【００１４】
手段３．手段２において、前記封印部材は、前記第１被包部材に設けられた第１封印部材と、前記基板被包部材を封印するに際して前記第１封印部材と対向するように前記第２被包部材に設けられた第２封印部材と、前記各封印部材を連結保持可能とする連結保持部材とを備えたことを特徴とする遊技機。
【００１５】
上記手段３によれば、各封印部材を連結保持部材により連結するだけで、回路基板を基板被包部材に封印できる。このため、封印作業効率の向上を図ることができる。また、連結保持部材により各封印部材の連結状態を維持することが可能となる。
【００１６】
手段４．手段３において、前記連結保持部材は、前記第１封印部材及び第２封印部材の少なくとも一部に係止される係止部を有し、前記係止部が前記封印部材に係止されることにより、前記封印部材を連結保持することを特徴とする遊技機。
【００１７】
上記手段４によれば、連結保持部材の係止部が係止された状態で、封印部材は連結状態となっている。これを非連結状態にするためには、前記係止部を操作し係止状態を解除しなければならない。しかし、封印部材が被覆部材により被覆された状態では、被覆された部分から前記係止部に何らかの細工をしたりすることは容易にできなくなる。その結果、基板被包部材に被包された制御回路基板からＲＯＭ、ＣＰＵ等を取り外して交換し遊技内容を変更する等の不正行為を防止することができる。
【００１８】
手段５．手段１乃至手段４のいずれかにおいて、前記封印部材に前記被覆部材を一体化したことをことを特徴とする遊技機。
【００１９】
上記手段５によれば、封印部材と被覆部材は一体化されているため、被覆部材を取り外して、封印部材に対して不正行為を行うことは容易ではなくなる。その結果、基板被包部材に被包された制御回路基板からＲＯＭ、ＣＰＵ等を取り外して交換し遊技内容を変更する等の不正行為を防止することができる。
【００２０】
手段６．手段１乃至手段５のいずれかにおいて、前記被覆部材内部に所定の空間部が形成されていることを特徴とする遊技機。
【００２１】
上記手段６によれば、被覆部材上から封印部材又は連結保持部材の係止部に、何らかの細工をするためには、被覆部材内部に形成された空間部を通して行わなくてはならないため、細工をするポイントを定めることが困難となる。その結果、基板被包部材（遊技機用基板ボックス）に被包された制御回路基板からＲＯＭ、ＣＰＵ等を取り外して交換し遊技内容を変更する等の不正行為を防止することができる。
【００２２】
手段７．ボックスベースとボックスカバーとを有する遊技機用基板ボックス内に回路基板を被包して封印するための遊技機用基板ボックス封印ユニットを備えた遊技機において、遊技機用基板ボックス封印ユニットは、前記ボックスベースの側面部に配設される第１封印部材と、前記ボックスカバーの側面部に配設される第２封印部材と、前記第１封印部材および第２封印部材を連結する連結保持部材とを備え、その連結保持部材により、前記第１封印部材および第２封印部材を連結し前記遊技機用基板ボックスを封印するものであって、前記連結状態の第１封印部材および第２封印部材の少なくとも一部を被覆する被覆部材を備えたことを特徴とする遊技機。
【００２３】
上記手段７において、回路基板は遊技機用基板ボックス内により被包され、遊技機用基板ボックス封印ユニットにより封印される。また、遊技機には遊技機用基板ボックス封印ユニットが有する封印部材の少なくとも一部を被覆する被覆部材が設けられており、少なくとも被覆部材で被覆された部分は、直接触れることが困難となっている。このため、被覆された部分を介して封印部材に何らかの細工をしたりすることは容易にできなくなる。その結果、遊技機用基板ボックス内に被包された制御回路基板からＲＯＭ、ＣＰＵ等を取り外して交換し遊技内容を変更する等の不正行為を防止することができる。
【００２４】
手段８．手段７において、前記被覆手段は、前記封印部材の周囲に板状部材を配設して形成されていることを特徴とする遊技機。
【００２５】
上記手段８によれば、被覆部材が板状部材であることから被覆部材を介して何らかの不正行為が行われたとしても、板状表面に何らかの形跡が残る。結果として、不正行為の早期発見ができる。
【００２６】
手段９．手段７又は手段８において、前記第１封印部材及び第２封印部材を複数設けたことを特徴とする遊技機。
【００２７】
上記手段９によれば、一度連結状態にした封印部材は、不正を行わない限り非連結状態にすることはできないようにし、複数の封印部材の１つを連結状態にして基板被包部材を封印しておけば、前記封印部材を壊さない限り、遊技機用基板ボックスを開封することはできない。このため、何らかの不正行為を行うためには、被覆部材を通して行われる可能性が高い。結果として、何らかの不正行為が行われた場合には、何らかの不正行為の痕跡を被覆部材上に残すこととなり、その不正行為を早期に発見することができる。
【００２８】
手段１０．手段７乃至手段９のいずれかにおいて、前記複数の第１封印部材及び第２封印部材は、前記ボックスベースとボックスカバーとの当接部に並行して形成されるとともに、その両端部に前記被覆部材の代わりとなる第１封印部材及び第２封印部材を配設したことを特徴とする遊技機。
【００２９】
上記手段１０によれば、複数の封印部材の両端部においては、被覆部材を設けなくとも、両端部の封印部材がその内側にある封印部材への不正行為を防止する効果を持つ。
【００３０】
手段１１．手段７乃至手段１０のいずれかにおいて、前記連結保持部材は、前記第１封印部材及び第２封印部材の少なくとも一部に係止される係止部を有し、前記係止部が前記封印部材に係止されることにより、前記封印部材を連結保持することを特徴とする遊技機。
【００３１】
上記手段１１によれば、連結保持部材の係止部が係止された状態で、各封印部材は連結状態となっている。これを非連結状態にするためには、前記係止部を操作し係止状態を解除しなければならない。しかし、封印部材が被覆部材により被覆された状態では、被覆された部分から前記係止部に何らかの細工をしたりすることは容易にできなくなる。その結果、基板被包部材（遊技機用基板ボックス）に被包された制御回路基板からＲＯＭ、ＣＰＵ等を取り外して交換し遊技内容を変更する等の不正行為を防止することができる。
【００３２】
手段１２．手段１１において、前記係止部は、前記連結保持部材の遊技機用基板ボックス側に設けられたことを特徴とする遊技機。
【００３３】
手段１２によれば、前記係止部を操作し各封印部材の連結状態を解除するためには、係止部に何らかの細工をしなければならない。しかし、係止部が遊技機用基板ボックス側にあるため、前記係止部に何らかの細工をしたりすることは容易にできなくなる。その結果、基板被包部材（遊技機用基板ボックス）に被包された制御回路基板からＲＯＭ、ＣＰＵ等を取り外して交換し遊技内容を変更する等の不正行為を防止することができる。
【００３４】
手段１３．手段３乃至手段１２のいずれかにおいて、前記第１封印部材及び第２封印部材と前記被覆部材との間に所定の空間部を設けたことを特徴とする遊技機。
【００３５】
上記手段１３によれば、被覆部材を通して封印部材に何らかの細工をしようとした場合、封印部材と被覆部材の間に所定の空間部が存在するため、細工をするポイントを定めることが困難となる。その結果、基板被包部材（遊技機用基板ボックス）に被包された制御回路基板からＲＯＭ、ＣＰＵ等を取り外して交換し遊技内容を変更する等の不正行為を防止することができる。
【００３６】
手段１４．手段３乃至手段１３のいずれかにおいて、前記被覆部材の形成範囲は、少なくとも前記第１封印部材及び第２封印部材の連結方向において、少なくとも前記連結方向における前記係止部の形成範囲を含むことを特徴とする遊技機。
【００３７】
上記手段１４によれば、前記各封印部材の連結方向の略直交方向から、少なくとも被覆部材で被覆された部分は、直接触れることが困難となっている。このため、被覆された部分を介して封印部材に何らかの細工をしたりすることは容易にできなくなる。その結果、基板被包部材（遊技機用基板ボックス）に被包された制御回路基板からＲＯＭ、ＣＰＵ等を取り外して交換し遊技内容を変更する等の不正行為を防止することができる。
【００３８】
手段１５．手段３乃至手段１４のいずれかにおいて、前記被覆部材の形成範囲は、少なくとも前記第１封印部材及び第２封印部材の連結方向と直交する方向において、少なくとも前記直交方向における前記係止部の形成範囲を含むことを特徴とする遊技機。
【００３９】
上記手段１５によれば、少なくとも前記封印部材の連結方向から、少なくとも被覆部材で被覆された部分は、直接触れることが困難となっている。このため、被覆された部分を介して封印部材に何らかの細工をしたりすることは容易にできなくなる。その結果、基板被包部材（遊技機用基板ボックス）に被包された制御回路基板からＲＯＭ、ＣＰＵ等を取り外して交換し遊技内容を変更する等の不正行為を防止することができる。
【００４０】
手段１６．手段３乃至手段１５のいずれかにおいて、前記被覆部材は、前記第１封印部材及び第２封印部材に対して複数層を構成するように形成されていることを特徴とする遊技機。
【００４１】
上記手段１６よれば、被覆部材は封印部材に対して複数層を形成している。このため、被覆部材を通して封印部材に何らかの細工をしようとした場合、複数の被覆部材層を通して行わなければならないため、細工をするポイントを定めることが困難となる。その結果、基板被包部材（遊技機用基板ボックス）に被包された制御回路基板からＲＯＭ、ＣＰＵ等を取り外して交換し遊技内容を変更する等の不正行為を防止することができる。
【００４２】
手段１７．手段３乃至手段１６のいずれかにおいて、前記連結保持部材は、前記第１封印部材及び第２封印部材の少なくとも一部に係止される複数の係止部を有し、前記複数の係止部うち少なくとも１つが係止されることにより、前記連結保持部材が前記封印部材を連結保持することを特徴とする遊技機。
【００４３】
上記手段１７によれば、連結保持部材には複数の係止部が設けられている。このことから、係止部が単一である場合に比べて封印部材外部から孔を開ける等して不正に係止部を非係止状態にし、封印部材の連結状態を解除しようとした場合においても、同時に複数の係止部の係止状態を解除しなければならない。そのため、封印部材の連結状態を解除することは困難となる。その結果、基板被包部材（遊技機用基板ボックス）に被包された制御回路基板からＲＯＭ、ＣＰＵ等を取り外して交換し遊技内容を変更する等の不正行為を防止することができる。
【００４４】
手段１８．回路基板を被包するための基板被包部材（遊技機用基板ボックス）と前記基板被包部材内に前記回路基板を封印するための封印部材を備えた遊技機において、前記封印部材は、第１封印部材及び第２封印部材と、前記各封印部材を連結保持可能とする連結保持部材とを備え、前記連結保持部材は、前記第１封印部材及び第２封印部材の少なくとも一部に係止される複数の係止部を有し、前記複数の係止部のうち少なくとも１つが係止されることにより、前記第１封印部材及び第２封印部材を連結状態することを特徴とする遊技機。
【００４５】
上記手段１８によれば、連結保持部材には複数の係止部が設けられている。このことから、係止部が単一である場合に比べて封印部材外部から孔を開ける等して不正に係止部を非係止状態にし、封印部材の連結状態を解除しようとした場合においても、同時に複数の係止部の係止状態を解除しなければならない。そのため、封印部材の連結状態を解除することは困難となる。その結果、基板被包部材（遊技機用基板ボックス）に被包された制御回路基板からＲＯＭ、ＣＰＵ等を取り外して交換し遊技内容を変更する等の不正行為を防止することができる。
【００４６】
手段１９．手段１７又は手段１８において、少なくとも一部が前記連結保持部材は金属製板状体で形成され、前記係止部は前記金属製板状体部分の一部を切り欠いて形成したことを特徴とする遊技機。
【００４７】
上記手段１９によれば、前記係止部の形成作業が容易に行うことができる。その結果、作業効率を高めることができる。また、金属製であることから比較的壊れにくいとともに、わざわざ係止部材を後から取り付けるより生産コストがかからない。
【００４８】
手段２０．手段１７乃至手段１９のいずれかにおいて、前記複数の係止部のうち少なくとも１つは、前記第１封印部材及び第２封印部材の連結方向を含む平面を挟んで、他の係止部とは反対側に形成されていることを特徴とする遊技機。
【００４９】
上記手段２０によれば、複数の係止部のうち少なくとも一つが、前記各封印部材の連結方向を含む平面を挟んで、他の係止部とは反対側に形成されている。このため、封印部材の外部から孔を開ける等の不正行為をして係止部の係止状態を解除し、封印部材の連結状態を解除しようとした場合でも、前記平面の両側に形成された係止部の係止状態を同時に解除することは難しく、封印部材の連結解除が困難となる。その結果、基板被包部材（遊技機用基板ボックス）に被包された制御回路基板からＲＯＭ、ＣＰＵ等を取り外して交換し遊技内容を変更する等の不正行為を防止することができる。
【００５０】
手段２１．手段３乃至手段１９のいずれかにおいて、前記第１封印部材及び第２封印部材は、その連結方向に対して前記連結保持部材を挿入可能な挿入孔を備え、前記連結保持部材を前記挿入孔に挿入することにより前記第１封印部材及び第２封印部材を連結状態することを特徴とする遊技機。
【００５１】
手段２１によれば、前記連結保持部材を外部より挿入するだけで、各封印部材を連結できる。その結果、各封印部材の連結作業の簡略化を図ることができる。
【００５２】
手段２２．手段２１において、前記連結保持部材は、前記第１封印部材及び第２封印部材の非連結保持状態において、前記挿入孔内の少なくとも一部に保持されることを特徴とする遊技機。
【００５３】
上記手段２２によれば、各封印部材が連結保持されていない状態で、連結保持部材は挿入孔内に保持される。そのため、各封印部材を連結しない場合においても、予め挿入孔内に連結保持部材を保持できる。その結果、連結保持部材の紛失を防ぐことができる。また、挿入孔内に保持状態にある連結保持部材を、さらに挿入するだけで各封印部材を連結でき、連結作業の簡略化を図ることができる。
【００５４】
手段２３．手段１乃至２２のいずれかにおいて、遊技機はパチンコ機であること。中でも、パチンコ機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。
【００５５】
手段２４．手段２３において、前記基板被包部材は、前記パチンコ機の遊技領域の少なくとも背面側に設けられていることを特徴とする遊技機。
【００５６】
手段２５．手段１乃至手段２２のいずれかにおいて、遊技機はスロットマシンであること。中でも、スロットマシンの基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えた遊技機」となる。この場合、遊技媒体はコイン、メダル等が代表例として挙げられる。
【００５７】
手段２６．手段２５において、前記基板被包部材は、少なくとも前記スロットマシン内部に設けられていることを特徴とする遊技機。
【００５８】
手段２７．手段１乃至手段２２のいずれかにおいて、遊技機はパチンコ機とスロットマシンとを融合させた遊技機であること。中でも、前記融合させた遊技機の基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。
【００５９】
手段２８．手段２７において、前記基板被包部材は、前記パチンコ機とスロットマシンとを融合させた遊技機の遊技領域の少なくとも背面側に設けられていることを特徴とする遊技機。
【００６０】
以下、本発明の好ましい実施例について、添付図面を参照して説明する。図１は、遊技機用基板ボックス封印ユニットの一実施例である封印ユニット１を有する基板被包部材としての基板ボックス（遊技機用基板ボックス）４０の配設されたパチンコ機５０の背面図である。前記パチンコ機５０の正面側には、発射装置により遊技領域へ発射されたパチンコ球を不特定箇所に誘導する複数本のクギや、クギによって誘導されてきたパチンコ球が入賞する複数個の入賞口又は作動口や、特定の遊技状態において比較的多数のパチンコ球を同時に入賞させることができる大入賞口や、各種遊技状態を遊技者に示唆する様々な表示を可能とする表示部等の各種遊技機器が配設されている。図２は、封印ユニット１の配設された基板ボックス４０が開封された状態を示す斜視図であり、図３は、封印ユニット１を構成する各部材の分解斜視図であり、図４は、封印部材２１，３１により形成された保持部Ｈに封印金具１１が保持されている状態を示した封印ユニット１の部分断面図であり、図５は、基板ボックス４０を封印した状態における封印ユニット１の部分断面図であり、図６は、基板ボックス４０の分解斜視図であり、図７は、基板ボックス４０に貼付する基板管理番号シール６１の平面図である。
【００６１】
図１および図２を参照して、封印ユニット１が配設される基板ボックス４０について説明する。まず、図１に示すように、基板ボックス４０は、例えば遊技機の一種であるパチンコ機５０の裏側に設けられた入賞球集合カバー５１に取り付けられている。基板ボックス４０は、パチンコ機５０の正面側に露出しないように配設されていればよく、入賞球集合カバー５１以外の箇所、例えば、遊技盤裏面、機構盤、前面枠等の枠体、又は専用の支持部材等に取り付けてもよい。基板ボックス４０は、パチンコ機５０の遊技制御の中枢を担う制御手段としてのＣＰＵ、そのＣＰＵの制御下において所定の遊技内容を実現するための制御情報を記憶した制御用ＲＯＭ、時々刻々変化する遊技状況に関する情報が逐次記憶されるＲＡＭ等の電子部品を含む制御回路基板（図示せず）を被包するためのものである。
【００６２】
基板ボックス４０は、複数のボックス体の組合せによって箱状に構成し得るが、本実施形態では一対のボックス体からなる例として、第１ボックス体としてのボックス本体（ボックスベース）４１と、そのボックス本体４１に覆設される第２ボックス体としてのボックス蓋体（ボックスカバー）４２とを備えている場合について説明する（図２参照）。
【００６３】
図２に示すように、ボックス本体４１は、金属材料からなる箱状体に形成されており、その上方はボックス本体４１内に制御回路基板を配設するために開放されている。また、ボックス本体４１の側壁４１ａには、後述する封印ユニット１のユニット部材２０が取り付けられている。更に、ボックス本体４１の内側壁には薄板状のガイド板４３が設けられており、ボックス本体４１にボックス蓋体４２を被せる場合、ボックス蓋体４２の位置ズレを防止して、容易に被せることができる。
【００６４】
ボックス蓋体４２は、ボックス本体４１と同様に、金属製の中空箱状体に形成されており、その側壁４２ａには後述する封印ユニット１のユニット部材３０が取り付けられている。ボックス蓋体４２の上部壁面には、透明な合成樹脂から構成された覗き窓４２ｄが設けられており、基板ボックス４０内の制御回路基板上に設けられた制御用ＲＯＭ、ＣＰＵ等の型番号を容易に確認することができる。このため、制御用ＲＯＭを交換してパチンコ機５０の遊技内容を変更する不正行為が行われた場合、これを容易に発見することができる。
【００６５】
また、ボックス蓋体４２の上面には、基板ボックス４０内に配設された制御回路基板を管理するための基板管理番号シール６１が貼付される。図７に示すように、未使用の基板管理番号シール６１が、台紙６２に計４枚貼付されている。この基板管理番号シール６１をボックス蓋体４２に貼付する場合には、台紙６２から基板管理番号シール６１を１枚ずつ剥がして貼り付ければ良い。この基板番号管理シール６１は、特殊シールで構成されており、その表面には、基板管理番号６１ａと、製造業者コード６１ｂと、枠部６１ｃと、検査履歴６１ｄとが表示されている。基板管理番号６１ａは、基板ボックス４０に被包される制御回路基板のシリアル番号である。また、制御回路基板の製造業者は、枠部６１ｃの色彩と製造業者コード６１ｂとにより特定される。更に、この基板管理番号シール６１は、制御回路基板の検査履歴書でもあり、検査履歴６１ｄには、検査毎に「１」から「３」の欄に検査年月日（開封年月日）、検査者名（開封者名）および検査印等が記録される。
【００６６】
尚、基板管理番号シール６１を構成する特殊シールは、剥がされると破損してしまう性質を有するものであるので、基板管理番号シール６１が不正に剥がされた場合には、かかる不正行為を容易に発見することができる。
【００６７】
次に、図３および図４を参照して、封印ユニット１を構成する各部材について説明する。図３に示すように、封印ユニット１は、基板ボックス４０を封印するための封印金具１１と、その封印金具１１が係止されるユニット部材２０と、そのユニット部材２０に対向してボックス蓋体４２に配設され封印金具１１が係合されるユニット部材３０とを備えている。
【００６８】
尚、図１に示すように、封印ユニット１は基板ボックス４０の２箇所にそれぞれ配設されている。ここでは、封印ユニット１は基板ボックス４０の相対向する側面に設けられており、特に基板ボックス４０が直方体形状である場合には短辺側の側面に設けられる。
【００６９】
図３に示すように、連結保持部材としての封印金具１１は、ユニット部材２０，３０における各封印部材２１，３１を連結するためのものであり、ステンレス鋼材等の金属材料で構成されており、正面視略Ｔ字形の略板状体に形成されている。この封印金具１１は、封印部材２１に挿設される板部１１ａと、その板部１１ａに一体形成されるとともに後述する封印部材３１に係合される頭部１１ｂとを備えている。より詳しくは、板部１１ａは長方形状の板体となっており、頭部１１ｂは板部１１ａの短辺一端側に一体に且つ当該短辺よりも幅広に形成されている。そして、頭部１１ｂは板部１１ａの短辺に沿って延びる筒体となるように巻回されている。
【００７０】
図３に示すように、板部１１ａの中間位置は、反頭部１１ｂ側を残すようにしてチャンネル状（コ字状）に切欠かれている。この切欠きは横並びに一対施されている。これらの切欠きによって、頭部１１ｂ側を自由端、反頭部１１ａ側を固定端とした板片が板部１１ａに一体形成されている。これら板片の自由端側を互い反対方向へ折り曲げることによって、板部１１ａの板面表裏にそれぞれ係止部としての係止爪１１ｃが形成されている。両係止爪１１ｃの具体的な折り曲げ形状は、特に図４から明らかなように、固定端を基準として板部１１ａから徐々に遠ざかりながら頭部１１ｂ側へ傾斜し、傾斜部分Ｔの先端から自由端側までは板部１１ａと略平行となる形状である。
【００７１】
両係止爪１１ｃは、封印金具１１の板部１１ａが封印部材３１の挿入孔３１ｂへ挿入され押し込まれた場合、傾斜部分Ｔを介して板部１１ａ側へと徐々に弾性変形するとともに、封印金具１１の先端部が封印部材２１の挿入孔２１ｂ内へ挿入される。封印金具１１を更に挿し込み続けると、両係止爪１１ｃは、弾性的に復元して封印部材３１の嵌合穴３１ｃ内に係止され、封印部材２１の嵌合部２１ａと封印部材３１の嵌合穴３１ｃとにより形成された保持部Ｈに収納される（図４参照）。一方、封印金具１１の頭部１１ｂは、封印部材３１の係合穴３１ａの側壁面に当接するとともに、係合穴３１ａ内に保持されている。その結果、封印金具１１を封印部材３１内に取り外し不可能な状態で保持することができる。
【００７２】
更に、保持部Ｈに両係止爪１１ｃが保持された封印金具１１を押し込むと、両係止爪１１ｃは、板部１１ａ側へ徐々に弾性変形し、封印部材２１の挿入孔２１ｂ内へ挿入され、その後、弾性的に復元して封印部材２１の係止孔２１ｃ内に係止される。よって、封印部材２１，３１は封印金具１１により取り外し不可能な状態で連結される（図５参照）。また、封印金具１１は、それを取り外そうとした際に両係止爪１１ｃの自由端部が同等に係止孔２１ｃ内上側面に当接するように形成されている。。
【００７３】
板部１１ａの先端には、略半球状の凸部１１ｄが設けられている。その結果、封印金具１１の先端部分の曲げ剛性が強化されるとともに、封印金具１１の先端部が凸部１１ｄにより案内され、封印金具１１の板部１１ａの先端部分を後述する封印部材２１，３１の挿入孔２１ｂ，３１ｂに容易に挿入することができる。また、封印金具１１の頭部１１ｂは、封印部材３１の係合穴３１ａの側壁面に当接するとともに、係合穴３１ａ内に保持されている。その結果、封印金具１１を封印部材３１内に取り外し不可能な状態で保持することができる。
【００７４】
図３に示すように、封印金具１１の上端部には、その剛性を強化するために頭部１１ｂが形成されている。この頭部１１ｂは、中空状の略円柱体に形成されており、封印金具１１を封印部材２１，３１の挿入孔２１ｂ，３１ｂに挿入する場合、かかる頭部１１ｂを押下することにより容易に封印金具１１を挿入することができる。図５に示すように、頭部１１ｂの外径は、封印部材３１の係合穴３１ａの幅と比較して略等しく形成されており、係合穴３１ａに係合可能となっている。よって、封印金具１１の両係止爪１１ｃが係止孔２１ｃ内に係止され、その頭部１１ｂが封印部材３１の係合穴３１ａに係合された場合、封印部材２１，３１は封印金具１１により取り外し不可能な状態で連結される。その結果、基板ボックス４０は開封不可能な状態にて封印される。
【００７５】
ユニット部材２０は、基板ボックス４０のボックス本体４１に配設され基板ボックス４０を封印するためのものであり、ポリカーボネート樹脂等の耐衝撃性を有する合成樹脂材料で形成されている。このユニット部材２０は、封印金具１１が挿設される複数の封印部材２１と、ユニット部材２０をボックス本体４１に取り付けるための取付部材２２と、各封印部材２１と取付部材２２とを互いに連結するための連結部材２３と、各封印部材２１のそれぞれを互いに連結する複数の連結部材２４と、各封印部材２１の側面及び底面を覆い隠す被覆部材２５（図２参照）とを備えている。尚、各封印部材２１はそれぞれ略同一に構成されているので、以下、同一の部分には同一の番号を付してその説明は省略する。また、図３においては、各ユニット部材２０，３０の構成をわかりやすく説明するため、便宜上、前記被覆部材２５を省略している。
【００７６】
図４に示すように、封印部材２１は略円柱状に形成されており、その一部には連結部材２３が固着され取付部材２２に連結されている。この封印部材２１は、略等間隔で取付部材２２に計４個連結されており、各封印部材２１の上端部分には、嵌合部２１ａが設けられている。嵌合部２１ａは、略円柱状に形成されており、その上側部分の外径は下側部分の外径と比較して小さくなるようにテーパが施されている。よって、嵌合部２１ａを後述する封印部材３１の嵌合穴３１ｃに容易に挿入して嵌合させることができる。嵌合部２１ａの上面には、長穴状の挿入孔２１ｂが凹設されており、封印金具１１の板部１１ａが挿入可能に形成されている。この挿入孔２１ｂの開口部分には面取り部Ｃが形成されており、この面取り部Ｃにより封印金具１１の板部１１ａおよび両係止爪１１ｃが容易に挿入される。
【００７７】
嵌合部２１ａの壁面の一部から対向する壁面に向かって貫通するように、略矩形状の係止孔２１ｃが設けられており（図３参照）、この係止孔２１ｃは挿入孔２１ｂと連通している（図４参照）。よって、挿入孔２１ｂから封印金具１１を挿入すると、封印金具１１の両係止爪１１ｃが封印部材２１の係止孔２１ｃにより係止され、封印金具１１の抜き取り行為が防止される。また、嵌合部２１ａの外周には、嵌合溝２１ｄが凹設されており、封印部材３１のスカート部３１ｄが嵌合可能となっている。この嵌合溝２１ｄの開口部分の断面積は底部分の断面積と比較して大きくなるようにテーパが施されており、スカート部３１ｄを容易に嵌合させることができる。また、嵌合溝２１ｄにスカート部３１ｄを嵌合させることにより、封印部材２１，３１の位置ズレが防止され、封印部材２１と封印部材３１とを確実に合致させることができる。
【００７８】
取付部材２２は、封印ユニット１のユニット部材２０をボックス本体４１に取り付けるためのものであり、対向して配設された一対の板状体２２ａ，２２ｂと、その一対の板状体２２ａ，２２ｂを互いに連結する複数の連結部材２２ｃと、板状体２２ｂに配設された補強部材２２ｄとを備えている。各板状体２２ａ，２２ｂは複数の連結部材２２ｃにより連結されており、この複数の連結部材２２ｃは計４箇所に配設されている。この各連結部材２２ｃは、板状体２２ａの長手方向に略等間隔で配設された後述する複数の連結部材２３に対応して配設されている。
【００７９】
よって、取付部材２２のうち、連結部材２３が固着されている部分の厚みは大きく形成され、その強度は強化されている。従って、連結部材２３を切断して封印部材２１を除去する場合、取付部材２２の板状体２２ａ，２２ｂに損傷を与えることなく連結部材２３を切断することができる。また、取付部材２２における一対の板状体２２ａ，２２ｂの間には所定幅の間隙Ｗ１が形成されており、この一対の板状体２２ａ，２２ｂの間に形成された間隙Ｗ１は、ボックス本体４１の側壁４１ａの板厚より大きく形成されている。
【００８０】
図６に示すように、ボックス本体４１の側壁４１ａには、取付部材２２の各連結部材２２ｃに対応した略矩形状の係合溝４１ｂが略等間隔で計４箇所に形成されている。この各係合溝４１ｂには、各連結部材２２ｃをそれぞれ係合させることができる。かかる係合により、ボックス本体４１の側壁４１ａはユニット部材２０の取付部材２２における板状体２２ａ，２２ｂの間に挟み込まれ、図２に示すように、ユニット部材２０がボックス本体４１に取り付けられる。その結果、板状体２２ａ，２２ｂの間に挟み込まれた側壁４１ａ部分の剛性を向上させることができるとともに、ボックス本体４１の側壁４１ａに取り付けられたユニット部材２０を外れ難くすることができる。
【００８１】
また、取付部材２２の長手方向の両端部分には一対の取付孔２２ｅが板状体２２ａ，２２ｂのそれぞれを貫通して穿設ている（図３および図４参照）。ボックス本体４１の側壁４１ａには、この取付部材２２の一対の取付孔２２ｅに対応して、一対の係合穴４１ｃが穿設されている（図６参照）。よって、ユニット部材２０の板状体２２ａ，２２ｂの間にボックス本体４１の側壁４１ａを挟み込みつつ、ユニット部材２０の取付部材２２をボックス本体４１の側壁４１ａに「かしめ」またはネジ止めにより固定することができる（図２および図３参照）。
【００８２】
図４に示すように、取付部材２２の板状体２２ｂには、略矩形状の係止穴２２ｆが穿設されている。この係止穴２２ｆには、ボックス本体４１の側壁４１ａ内側面に突設された係止爪４１ｅが係止されており、ユニット部材２０をボックス本体４１の側壁４１ａに「仮止め」することができる。よって、ユニット部材２０はボックス本体４１に「仮止め」されているので、「かしめ」またはネジ止めによるユニット部材２０の固定作業を容易に行うことができる。
【００８３】
補強部材２２ｄは、封印ユニット１が配設された基板ボックス４０の強度を補強するためのものであり、取付部材２２の板状体２２ｂにおける上部側面に一体に形成されている（図４中右側）。この補強部材２２ｄは、後述するユニット部材３０に形成された嵌合穴３２ｄに嵌合可能な板状体で構成されており（図３参照）、かかる嵌合穴３２ｄに嵌合することにより、ユニット部材２０，３０を互いに位置決めしつつ、封印ユニット１の配設された基板ボックス４０の強度を補強することができる。
【００８４】
図３に示すように、連結部材２３は、各封印部材２１と取付部材２２とをそれぞれ連結するためのものである。この連結部材２３は、取付部材２２の板状体２２ａの一側面に略等間隔で計４個配設されており、各連結部材２３には封印部材２１がそれぞれ固着されている。よって、計４個の各封印部材２１が略等間隔で隣接して取付部材２２と連結され、ユニット部材２０が一体に形成されている。また、これらの隣接する各封印部材２１は、連結部材２４により互いに連結されて、一体に形成されている。また、封印部材２１および取付部材２２は連結部材２３により連結されるので、封印部材２１と取付部材２２との間には、ニッパ等の工具の刃先が入り込むための間隔が形成される。よって、封印部材２１を切断して除去する場合、ニッパ等の工具を用いて連結部材２３を容易に切断することができる。
【００８５】
連結部材２４は、隣り合う各封印部材２１を連結して、ユニット部材２０の強度を補強するためのものであり、略薄板状に形成されている。各連結部材２４は、各封印部材２１の外周面のうち連結部材２３の固着側の反対部分に固着されており、各封印部材２１のそれぞれを互いに連結してユニット部材２０の強度を補強している。この各連結部材２４の右端部分には、切り欠き２４ａが設けられており、かかる部分の剛性を低下させてある。よって、ニッパ等の工具を用いて連結部材２４を切断する場合、切り欠き２４ａが設けられた部分を切断することにより、容易に連結部材２４を切断することができる。また、切り欠き２４ａは、連結部材２４のうち、先に使用される封印部材２１側の端部分に設けられているので、連結部材２４を切断する場合、未使用の封印部材２１の損傷を防止することができる。
【００８６】
被覆部材２５は、封印部材２１，３１の外部より孔を開け、封印金具１１を抜き取ったりするのを防ぎ、不正に基盤ボックス４０を開封するのを防止するために設けられたものである。被覆部材２５は、４つ並んだ封印部材２１，３１の両端部側面を被覆するように形成された側面被覆部２５ａと、各封印部材２１の底面部を被覆するように形成された底面被覆部２５ｂと、各封印部材２１，３１の取付部材２２，３２とは反対側にあたる各封印部材２１，３１前面部を被覆するように形成された前面被覆部２５ｃとで構成されている。側面被覆部２５ａ、底面被覆部２５ｂおよび前面被覆部２５ｃはそれぞれ略板状体であるとともに、各板状体とも略平行に配設された複数枚、例えば３枚の板状体で構成されている。また、平行状態にある各板状体の間には所定の隙間が形成されている。なお、前記各被覆部２５ａ〜２５ｃはそれぞれポリカーボネート樹脂等の耐衝撃性を有する合成樹脂材料で形成されている。側面被覆部２５ａは、その板状面が前記両端部側面を向くように、取付部材２２の板状体２２ａに固着されている。底面被覆部２５ｂは、その板状面が各封印部材２１の底面部を向くように、取付部材２２の板状体２２ａに固着されている。さらに、側面被覆部２５ａと底面被覆部２５ｂとは互いに交わる部分で固着されている。また、前面被覆部２５ｃは、その板状面が各封印部材２１，３１前面部を向くように、側面被覆部２５ａおよび底面被覆部２５ｂにそれぞれ固着されている。側面被覆部２５ａおよび前面被覆部２５ｃの上端部は前記封印部材３１の上端部と同等の高さに形成されている。なお、各封印部材２１，３１上面部は被覆部材２５によって被覆されていない。つまり、被覆部材２５は各封印部材２１，３１の上面部が被覆されないようにを上方に開口した状態で形成されている。
【００８７】
ユニット部材３０は、封印金具１１とユニット部材２０とを介して、基板ボックス４０を封印するためのものである。ユニット部材３０は、ポリカーボネート樹脂等の耐衝撃性を有する合成樹脂材料で形成されており、基板ボックス４０のボックス蓋体４２の側壁４２ａに取り付けられている。このユニット部材３０は、封印金具１１が係合される封印部材３１と、ユニット部材３０をボックス蓋体４２に取り付けるための取付部材３２と、各封印部材３１と取付部材３２とを互いに連結するための連結部材３３と、各封印部材３１のそれぞれを互いに連結する複数の連結部材３４とを備えている。尚、各封印部材３１はそれぞれ略同一に構成されているので、以下、同一の部分には同一の番号を付してその説明は省略する。
【００８８】
図３に示すように、封印部材３１は、略円柱状に形成されており、その一部には連結部材３３が固着され取付部材３２に連結されている。この封印部材３１は、略等間隔で取付部材３２に計４個連結されており、各封印部材３１はユニット部材２０の各封印部材２１のそれぞれと対向する位置に取付部材３２と一体に形成されている（図２参照）。また、各封印部材３１は、封印金具１１の頭部１１ｂと係合される係合穴３１ａと、その係合穴３１ａに連通して穿設された挿入孔３１ｂと、その挿入孔３１ｂに連通して穿設された嵌合穴３１ｃと、その嵌合穴３１ｃの下方に設けられたスカート部３１ｄとを備えている。
【００８９】
封印部材３１の上面には、長穴状の係合穴３１ａが形成されており、封印金具１１の頭部１１ｂが嵌合可能になっている。また、図４に示すように、係合穴３１ａの下方には挿入孔３１ｂが設けられている。この挿入孔３１ｂの幅は封印金具１１の頭部１１ｂの外径と比較して小さく形成されているので、封印金具１１の頭部１１ｂは、挿入孔３１ｂを通り抜けることができない。よって、封印金具１１の頭部１１ｂは、係合穴３１ａ内に確実に係合される。
【００９０】
嵌合穴３１ｃは、挿入孔３１ｂの下方に連通して設けられており、封印部材２０の嵌合部２１ａが嵌合可能になっている。この嵌合穴３１ｃにはテーパが施されており、封印部材２１の嵌合部２１ａを容易に挿入して嵌合することができる。また、嵌合穴３１ｃの上壁面と封印部材２１の嵌合部２１ａの上端面との間には、所定高さを有する保持部Ｈが形成されており、封印金具１１の両係止爪１１ｃが嵌合部２１ａの上端面により支持され保持されている。また、封印金具１１の両係止爪１１ｃが保持部Ｈに保持されると、封印金具１１の頭部１１ｂは、係合穴３１ａ内に埋め込まれ、封印部材３１の上面から突出することがない。よって、頭部１１ｂを掴んで封印金具１１を抜き取る不正行為や頭部１１ｂが何かに引っ掛かり封印金具１１が抜け落ちてしまうことを防止することができる。その結果、予備用（未使用）の封印金具１１は、封印部材２１と封印部材３１とを連結することなく、封印部材３１内に抜き取り不可能な状態で保持することができる。
【００９１】
スカート部３１ｄは、封印部材３１の下端面であって、嵌合穴３１ｃの縁部分に周設されている。このスカート部３１ｄは、封印部材２１の嵌合溝２１ｄに嵌合可能に形成されており、その外周壁にはテーパが施されている。よって、スカート部３１ｄを嵌合溝２１ｄへ容易に嵌合させることができる。
【００９２】
取付部材３２は、封印ユニット１のユニット部材３０をボックス蓋体４２に取り付けるためのものであり、対向して配設された一対の板状体３２ａ，３２ｂと、その一対の板状体３２ａ，３２ｂを互いに連結する複数の連結部材３２ｃと、板状体３２ｂに配設された嵌合穴３２ｄとを備えている。各板状体３２ａ，３２ｂは複数の連結部材３２ｃにより連結されており、この複数の連結部材３２ｃは計４箇所に配設されている。この各連結部材３２ｃは、板状体３２ａの長手方向に略等間隔で配設された後述する複数の連結部材３３に対応して配設されている。
【００９３】
よって、取付部材３２のうち、連結部材３３が固着されている部分の厚みは大きく形成され、その強度が強化されている。従って、連結部材３３を切断して封印部材３１を除去する場合、取付部材３２の板状体３２ａに損傷を与えることがない。また、取付部材３２における一対の板状体３２ａ，３２ｂの間には所定幅の間隙Ｗ２が形成されており、この一対の板状体３２ａ，３２ｂの間に形成された間隙Ｗ２は、ボックス蓋体４２の側壁４２ａの板厚より大きく形成されている。
【００９４】
図６に示すように、ボックス蓋体４２の側壁４２ａには、取付部材３２の各連結部材３２ｃに対応した略矩形状の係合溝４２ｂが略等間隔で計４箇所に形成されており、この各係合溝４２ｂは、ボックス本体４１に形成された各係合溝４１ｂに対向して側壁４２ａに形成されている。この係合溝４２ｂには、取付部材３２の各連結部材３２ｃをそれぞれ係合させることができる。各係合溝４２ｂに各連結部材３２ｃを係合すると、ボックス蓋体４２の側壁４２ａは、ユニット部材３０の取付部材３２における板状体３２ａ，３２ｂの間に挟み込まれ、図２に示すように、ユニット部材３０がボックス蓋体４２に取り付けられる。その結果、板状体３２ａ，３２ｂの間に挟み込まれた側壁４２ａ部分の剛性を向上させることができるとともに、ボックス蓋体４２の側壁４２ａに取り付けられたユニット部材３０を外れ難くすることができる。
【００９５】
また、取付部材３２の長手方向の両端部分には、一対の取付孔３２ｅが板状体３２ａ，３２ｂのそれぞれを貫通して穿設ている（図３および図４参照）。ボックス蓋体４２の側壁４２ａには、この取付部材３２の一対の取付孔３２ｅに対応して、一対の係合穴４２ｃが穿設されている（図６参照）。よって、ユニット部材３０の板状体３２ａ，３２ｂの間にボックス蓋体４２の側壁４２ａを挟み込みつつ、取付部材３２をボックス蓋体４２の側壁４２ａに「かしめ」またはネジ止めにより固定することができる（図２および図３参照）。
【００９６】
図４に示すように、取付部材３２の板状体３２ｂには、略矩形状の係止穴３２ｆが穿設されている。この係止穴３２ｆには、ボックス蓋体４２の側壁４２ａ内側面に突設された係止爪４２ｅが係止されており、ユニット部材３０をボックス蓋体４２の側壁４２ａに「仮止め」することができる。よって、ユニット部材３０はボックス蓋体４２に「仮止め」されているので、「かしめ」またはネジ止めによるユニット部材３０の固定作業を容易に行うことができる。
【００９７】
尚、ボックス本体４１とユニット２０およびボックス蓋体４２とユニット３０は、それぞれ合成樹脂材料を使用して一体成形しても良い。
【００９８】
嵌合穴３２ｄは、ユニット部材２０の補強部材２２ｄを嵌合しつつ、封印ユニット１が配設された基板ボックス４０の強度を補強するためのものである。この嵌合穴３２ｄは、ユニット部材２０の補強部材２２ｄが嵌合可能に穿設された上面視略矩形状の貫通穴であり（図３参照）、取付部材３２の板状体３２ｂにおける上部側面に突設されている（図４中右側）。この嵌合穴３２ｄに補強部材２２ｄを嵌合することにより、封印ユニット１、及び、その封印ユニット１が配設された基板ボックス４０の剛性を大きくすることができる。
【００９９】
図３に示すように、連結部材３３は、各封印部材３１と取付部材３２とをそれぞれ連結するためのものである。この連結部材３３は、取付部材３２の板状体３２ａの一側面に略等間隔で計４個配設されており、各連結部材３３には封印部材３１がそれぞれ固着されている。よって、計４個の各封印部材３１が略等間隔で隣接して取付部材３２に連結され、ユニット部材３０が一体に形成されている。また、封印部材３１および取付部材３２は連結部材３３により連結されるので、封印部材３１と取付部材３２との間には、ニッパ等の工具の刃先が入り込むための間隔が形成される。よって、封印部材３１を切断して除去する場合、ニッパ等の工具を用いて連結部材３３を容易に切断することができる。
【０１００】
連結部材３４は、隣り合う各封印部材３１を連結して、ユニット部材３０の強度を補強するためのものであり、略薄板状に形成されている。各連結部材３４は、各封印部材３１の外周面のうち連結部材３３の固着側の反対部分に固着されており、各封印部材３１のそれぞれを互いに連結してユニット部材３０の強度を補強している。この各連結部材３４の右端部分には、切り欠き３４ａが設けられており、かかる部分の剛性を低下させてある。よって、ニッパ等の工具を用いて連結部材３４を切断する場合、切り欠き３４ａが設けられた部分を切断することにより、容易に連結部材３４を切断することができる。また、切り欠き３４ａは、連結部材３４のうち、先に使用される封印部材３１側の端部分に設けられているので、連結部材３４を切断する場合、未使用の封印部材３１の損傷を防止することができる。
【０１０１】
この各連結部材３４の上面には、「１」から「４」までの番号表示Ｋがそれぞれ表示されている。この各番号表示Ｋは、ユニット部材３０の成形と同時に型枠を用いて形成されており、各一対の封印部材２１，３１が封印される順番を表している。よって、各封印部材２１とそれに対向する各封印部材３１とを「１」から「４」の各番号表示Ｋの順に封印金具１１を用いて封印するとともに、「１」から「４」の番号表示Ｋの順に封印された一対の封印部材２１，３１をニッパ等の工具を用いて切断して除去することができる。
【０１０２】
尚、この各番号表示Ｋを付す方法としては、「１」から「４」の数字を印刷した合成樹脂等のシート等を各封印部材２１に貼付等したりしても良い。
【０１０３】
次に、上述した基板ボックス４０に取り付けられた封印ユニット１の使用方法について説明する。まず、ユニット部材２０の各連結部材２２ｃをボックス本体４１の各係合溝４１ｂに対応させて係合し、取付部材２２の一対の板状体２２ａ，２２ｂの間にボックス本体４１の側壁４１ａを挟み込むようにして、取付部材２２を側壁４１ａに填め込む。その後、取付部材２２の板状体２２ｂに設けられた係止穴２２ｆがボックス本体４１の係止爪４１ｅにより係止されるまで填め込み、ユニット部材２０をボックス本体４１に「仮止め」して、取付孔２２ｅおよび係合穴４１ｃを「かしめ」またはネジ止めにより固定する。
【０１０４】
また、同様に、ボックス蓋体４２の各係合溝４２ｂにユニット部材３０の各連結部材３２ｃを対応させて係合し、取付部材３２の一対の板状体３２ａ，３２ｂの間にボックス蓋体４２の側壁４２ａを挟み込むようにして、取付部材３２を側壁４２ａに填め込む。その後、取付部材３２の板状体３２ｂに設けられた係止穴３２ｆがボックス蓋体４２の係止爪４２ｅにより係止されるまで填め込み、ユニット部材３０をボックス蓋体４２に「仮止め」して、取付孔３２ｅおよび係合穴４２ｃを「かしめ」またはネジ止めにより固定する。
【０１０５】
このようにして、ユニット部材２０，３０をそれぞれ２個ずつボックス本体４１およびボックス蓋体４２に固定する（図１参照）。
【０１０６】
その後、ボックス本体４１内に制御回路基板を配設して固定した後、ユニット部材２０，３０の各封印部材２１，３１を対向させて、ボックス本体４１にボックス蓋体４２を被せ、各封印部材２１の嵌合部２１ａを各封印部材３１の嵌合穴３１ｃに嵌合するとともに、各封印部材３１のスカート部３１ｄを各封印部材２１の嵌合溝２１ｄに嵌合する。そして、計４個の各封印部材３１の係合穴３１ａおよび挿入孔３１ｂ内に封印金具１１をそれぞれ挿入して、その頭部１１ｂを押下し封印金具１１を封印部材３１内に押し込む。
【０１０７】
封印金具１１が押し込まれると、封印金具１１の両係止爪１１ｃは、傾斜部分Ｔを介して板部１１ａ側へ徐々に弾性変形する。更に、封印金具１１を挿入し続けると、両係止爪１１ｃが弾性的に復元し、その両係止爪１１ｃは、嵌合穴３１ｃ内に係止されるとともに保持部Ｈに保持される。よって、各封印金具１１を封印部材３１内に抜き取り不可能な状態で保持することができるとともに、封印金具１１の紛失を防止することができる（図４参照）。
【０１０８】
各封印部材３１内に各封印金具１１を保持した後、各封印ユニット１の封印部材３１うち、「１」の番号表示Ｋの付された連結部材２４の左端部が固着されているもの（図２中右側）に挿入された封印金具１１の頭部１１ｂを押下して、その封印金具１１を更に押し込む。封印金具１１が押し込まれると、封印金具１１の両係止爪１１ｃは、傾斜部分Ｔおよび挿入孔２１ｂの面取り部Ｃを介して板部１１ａ側へ徐々に弾性変形する。封印金具１１を挿入し続けると、両係止爪１１ｃが弾性的に復元して、両係止爪１１ｃが封印部材２１の係止孔２１ｃ内に係止され、封印金具１１が封印部材２１内にて抜き取り不可能な状態で保持される。一方、封印金具１１の頭部１１ｂは、封印部材３１の係合穴３１ａ内に係合される。
【０１０９】
その結果、封印金具１１は、封印部材２１内から抜き取り不可能となり、更に、封印金具１１の頭部１１ｂは、封印部材３１の係合穴３１ａに係合されているので、基板ボックス４０のボックス本体４１とボックス蓋体４２とが開封不可能に連結され、基板ボックス４０を確実に封印することができる（図５参照）。
【０１１０】
また、封印部材２１，３１の側面又は底面から孔を開けて封印金具１１の両係止爪１１ｃを弾性変形させ、封印金具１１を抜き取る等の不正行為を行おうとした場合、被覆部材２５が封印部材２１，３１の周囲に設けられているため、被覆部材２５の表面上から孔を開けなければならなくなり、孔を開けた痕跡がより発見し易くなる。又、封印金具１１までの間に複数の壁が存在することやその壁によって被覆部材２５の表面上から封印金具１１まで距離が長くなることで、棒状のものを封印金具１１の位置まで差し込んで、両係止爪１１ｃを弾性変形させるには、その力を加えるための支点が定まりにくく、上記不正行為を行い難くなる。
【０１１１】
さらに、本実施の形態における封印金具１１には、その両側面に１個ずつ両係止爪１１ｃが形成されている。このため、封印金具１１を抜き取るには、両側面の両係止爪１１ｃを同時に押さえつけなければない。しかし、上記被覆部材２５の表面上から両係止爪１１ｃを同時に押さえつけるのは、非常に困難となる。その結果、上記不正行為をさらに行い難くなる。
【０１１２】
よって、基板ボックス４０に被包された制御回路基板上の制御用ＲＯＭ等を不適法に取り外して、パチンコ機５０の遊技内容を変更する不正行為を防止することができる。また、封印部材２１，３１を破壊、切断等すれば基板ボックス４０を開封することができるが、その場合には、基板ボックス４０が開封された痕跡を確実に残すことができる。即ち、不正行為が行われたか否かを即座に発見することができる。
【０１１３】
基板ボックス４０を開封する場合には、少なくとも、連結部材３３および「２」の番号表示Ｋが付された連結部材３４をニッパ等により切断するか、又は、連結部材２３および連結部材２４をニッパ等により切断する必要がある。即ち、少なくとも連結部材２３，２４または連結部材３３，３４をそれぞれ切断しなければ、基板ボックス４０を開封するができない。よって、不正行為を行った者が、基板ボックス４０を開封して制御回路基板に不正改造等の不正行為を行った後、その不正行為を隠蔽する場合には、連結部材２３，２４または連結部材３３，３４の各切断部分のそれぞれに接着剤等を塗布し、かかる複数の切断部分をそれぞれ再接合する必要がある。また、複数の切断部分を再接合して、切断の痕跡を隠蔽することは容易ではない。従って、不正行為の隠蔽を確実に行うことができないので、不正行為が早期に発見されるとともに、かかる不正行為を抑制することができる。
【０１１４】
次に、この封印状態にある基板ボックス４０から制御回路基板上の制御用ＲＯＭを取り外して検査する方法について説明する。封印金具１１の頭部１１ｂは封印部材３１の係合穴３１ａに係合され、封印金具１１の両係止爪１１ｃは封印部材２１の係止孔２１ｃ内に抜き取り不可能な状態で保持されているので、基板ボックス４０内の制御回路基板を適法に検査する場合、ボックス本体４１からボックス蓋体４２を外して、基板ボックス４０を開封することができない。かかる場合、封印金具１１により封印されている封印部材２１，３１と取付部材２２，３２とを連結している連結部材２３，３３をニッパ等の工具を用いて切断するとともに、封印されている封印部材２１，３１と他の封印部材２１，３１とを連結する連結部材２４，３４の切り欠き２４ａ，３４ａの部分を切断する。
【０１１５】
このようにして、連結部材２３，２４，３３，３４を切断することにより、基板ボックス４０の封印が解除され、ボックス本体４１からボックス蓋体４２を外すことができる。そして、制御用ＲＯＭ等の検査終了後、基板管理番号シール６１の検査履歴６１ｄに所定の事項を記載して、ボックス本体４１にボックス蓋体４２を被せて、未使用の一対の封印部材２１，３１に保持されている封印金具１１を押し込むことにより、かかる封印部材２１，３１を連結して、基板ボックス４０を再度封印する。
【０１１６】
尚、本実施例では、各封印ユニット１に、封印部材２１，３１が各４個ずつ計４組設けられているので、最大３回まで基板ボックス４０の封印を解除して開封することができる。また、止むを得ず全ての封印部材２１，３１を切断して排除した場合には、ユニット部材２０，３０をボックス本体４１およびボックス蓋体４２に固定する「かしめ」またはねじ止めを取り付り外し、新たなに封印ユニット１のユニット部材２０，３０をボックス本体４１およびボックス蓋体４２に取り付ければよい。
【０１１７】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１１８】
例えば、上記実施の形態では、被覆部材２５は、４つの封印部材２１，３１を被覆する側面被覆部２５ａ、底面被覆部２５ｂおよび前面被覆部２５ｃによって構成されていたが、４つの封印部材２１，３１の両端に１つずつ封印部材２１，３１を設け、その封印部材２１，３１を前記側面被覆部２５ａの代わりとし、被覆部材２５を底面被覆部２５ｂおよび前面被覆部２５ｃのみの構成としてもよい。
【０１１９】
また、被覆部材２５は、側面被覆部２５ａ、底面被覆部２５ｂおよび前面被覆部２５ｃにより構成されているが、各部を一体化して形成することとしてもよい。
【０１２０】
さらに、被覆部材２５（側面被覆部２５ａ、底面被覆部２５ｂおよび前面被覆部２５ｃ）は、３枚の板状体で構成されているが、１枚以上であれば何枚でもよい。但し、各板状体の厚さに関わらず、可能な限り板状体数を増やした方が、上記不正行為を防止する効果を高めることができる。また、形成材料は樹脂でなくとも、金属等容易に細工するのが難しいものであれば何でもよい。
【０１２１】
加えて、各板状体表面に凹凸部を設けてもよい。又は、内部に気泡等の空間部を設けてもよい。このようにすれば、被覆部材２５に孔を開ける等の不正行為を行うに際して、直線的に孔を開けることが容易にはできなくなり、不正を防止できる。
【０１２２】
上記実施の形態では、主として遊技機の主基板を封印する遊技機用基板ボックス封印ユニットを説明しているが、前記遊技機用基板ボックス封印ユニットを遊技機に存在する各種基板を収納する基板ボックスにそれぞれ設けることとしてもよい。例えば、遊技機の各種回路の電源を制御する電源基板、パチンコ球の払い出しを制御する払出制御基板、パチンコ球の発射を制御する発射制御基板、図柄等を表示する可変表示装置を制御する表示制御基板、音声を制御する音声制御基板、ランプの点灯等を制御するランプ制御基板等を封印する基板ボックスに封印ユニットを設けてもよい。特に前記払出制御基板のように、不正行為を行われやすい基板を収納した遊技機用基板ボックスに封印ユニットを設ければ、収納された制御基板からＲＯＭを取り外して交換し払い出されるパチンコ球数を変更する等の不正行為を防止することができる。
【０１２３】
また、本実施の形態における遊技機用基板ボックス封印ユニットとしての封印ユニット１は基板ボックス４０と別々に構成されていたが、これを一体として遊技機用基板ボックス封印ユニットとしてもよい。又は、被覆部材２５のみをボックス本体４１からボックス蓋体４２に配設して、封印部材２１，３１を被覆する構成としてもよい。
【０１２４】
上記実施の形態における封印金具１１の両係止爪１１ｃは、板部１１ａ左右側面上に上下方向の中心軸を挟んで略対称となるように形成されているが、これに限らず、複数の係止爪１１ｃを板部１１ａの側面上の上下方向にずらして配設する構成としてもよい。このような構成にすれば、封印部材２１，３１の連結を解除するにあたり、複数の係止爪１１ｃを何度も押さえつけなければならないため、不正行為を行い係止爪１１ｃの係止解除を行うのは困難なる。
【０１２５】
又、係止爪１１ｃを板部１１ａの片側側面上に１つだけ設けて、これを基板ボックス４０に対向するよう挿入することとしてもよい。このようにすれば、係止爪１１ｃが１つだけでも、係止爪１１ｃに向かって孔を開け、係止爪１１ｃを押さえ付けることは困難となる。結果として、封印部材２１，３１の連結状態を解除することは容易にはできなくなり、不正行為を防止することができる。
【０１２６】
また、本実施の形態において、封印金具１１は略板状体の形状のものを使用したが、これに限らず、略棒形状等の封印金具を使用することとしてもよい。又は、封印金具は金具でなくとも、例えば樹脂等の封印部材２１，３１を連結できるものであれば、何でもよい。
【０１２７】
又、封印部材２１，３１を連結し基板ボックス４０を封印するための部材として、封印金具１１を使用した。しかし、かかる部材は、これに限られるものではなく、封印ねじ等を使用しても良い。
【０１２８】
また、上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。また、パチンコ機以外にも、アレパチ、雀球、スロットマシン、いわゆるパチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備えたスロットマシン」となり、この場合、遊技媒体はコイン、メダル等が代表例として挙げられる。
【０１２９】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１３０】
【発明の効果】
本発明の遊技機によれば、被覆部材により、封印部材が被覆されているため、封印部材に細工して、不正行為を行うことが困難になる。また、不正行為が行われたとしても、不正行為の隠蔽を行うことが難しくなるため、不正行為が早期に発見することができる。よって、遊技内容に関する制御情報が記憶されたＲＯＭを制御回路基板からを取り外し交換して、遊技内容を変更する不正行為を防止することができるとともに、かかる不正行為を抑制することができるという効果がある。
【図面の簡単な説明】
【図１】  本発明の一実施例である封印ユニットを有する基板ボックスの配設されたパチンコ機の背面図である。
【図２】  封印ユニットが配設された基板ボックスが開封された状態を示す斜視図である
【図３】  封印ユニットを構成する各部材の分解斜視図である。
【図４】  保持部に封印金具が保持されている状態における封印ユニットの部分断面図である。
【図５】  基板ボックスを封印した状態における封印ユニットの部分断面図である。
【図６】  基板ボックスの分解斜視図である。
【図７】  基板管理番号シールの平面図である。
【符号の説明】
１…封印ユニット、１１…封印金具（連結保持部材）、１１ｂ…頭部、１１ｃ…係止爪（係止部）、２０，３０…ユニット部材、２１，３１…封印部材（第１封印部材、第２封印部材）、２１ｃ…係止孔、２２，３２…取付部材、２２ｆ，３２ｆ…係止穴、２３，３３…連結部材、２４，３４…連結部材、２４ａ，２４ｂ…切り欠き、２５…被覆部材、２５ａ…側面被覆部、２５ｂ…底面被覆部、２５ｃ…前面被覆部、３１ａ…係合穴、４０…基板ボックス（基板被包部材）、４１…ボックス本体、４１ｅ，４２ｅ…係止爪、４２…ボックス蓋体、Ｈ…保持部、Ｔ…傾斜部分。
【図１】
0004622032.tif 000002
【図２】
0004622032.tif 000003
【図３】
0004622032.tif 000004
【図４】
0004622032.tif 000005
【図５】
0004622032.tif 000006
【図６】
0004622032.tif 000007
【図７】
0004622032.tif 000008